(57)【要約】【課題】過去に所定のエリアに存在した端末装置に対して選択的にデータを送信する技術を提供する。【解決手段】エリア情報が表示部３４に選択肢として表示される、生成部３６は、（１）表示部３４で選択されたデータの受信対象なるエリアが示されるエリア情報と、当該エリア情報を送信すべきタイミングとを関連づけた識別情報と、（２）当該エリア情報とが含まれる第１の組合せを生成する。送信部４０は、第１の組合せを送信する。記憶部３８は第１の組合せの内容を記憶する。表示部３４は、記憶部３８の識別情報を選択肢に追加表示する。生成部３６は、第１の組合せにおける識別情報に関連づけられたタイミング以降のタイミングにおいて、選択された識別情報と、データとが含まれる第２の組合せを生成する。送信部４０は、第２の組合せを送信する。【選択図】図４
2020039161.tif 000002
【特許請求の範囲】
【請求項１】
データの受信対象なるエリア情報を選択肢として表示する表示部と、
（１）前記表示部で選択されたデータの受信対象なるエリアが示されるエリア情報と、当該エリア情報を送信すべきタイミングとを関連づけた識別情報と、（２）当該エリア情報とが含まれる第１の組合せを生成する生成部と、
前記生成部において生成した第１の組合せを送信する送信部と、
前記送信部で送信した第１の組み合わせを記憶する記憶部とを備え、
前記表示部は、前記記憶部に記憶された第１の組み合わせにおける識別情報を選択肢に追加表示し、
前記生成部は、前記表示部で選択された識別情報と、データとが含まれる第２の組合せを生成し、
前記送信部は、前記生成部において生成した第２の組合せを送信することを特徴とすることを特徴とする送信装置。
【請求項２】
前記生成部は、第１の組合せにデータも含めることを特徴とする請求項１に記載の送信装置。
【発明の詳細な説明】
【技術分野】
【０００１】
本発明は、通信技術に関し、特にデータを送信する送信装置、受信装置、通信システムに関する。
【背景技術】
【０００２】
マルチキャスト通信では、複数の端末装置に同一の配信情報を同報送信する。配信情報である交通情報の情報コンテンツは、エリア識別子とこのエリアの１つ以上の交通情報とからなる複数のサブコンテンツで構成されている。端末装置は、サブコンテンツのエリア識別子により、交通情報が有効な情報であると判断すると、交通情報を端末装置のオペレータに提供する（例えば、特許文献１参照）。
【先行技術文献】
【特許文献】
【０００３】
【特許文献１】特開２００７−２８０２２号公報
【発明の概要】
【発明が解決しようとする課題】
【０００４】
エリア識別子を含めることによって、所定のエリアに存在する端末装置に対して、情報を送信することが可能である。しかしながら、そのような情報を送信してから時間が経過した場合、各端末装置は移動していることがあるので、以前に情報を送信した時点における端末装置を対象にして、再び情報を送信することは困難である。
【０００５】
本発明はこうした状況に鑑みてなされたものであり、その目的は、過去に所定のエリアに存在した端末装置に対してデータを送信する技術を提供することである。
【課題を解決するための手段】
【０００６】
上記課題を解決するために、本発明のある態様の送信装置は、エリア情報を選択肢として表示する表示部と、（１）表示部で選択されたデータの受信対象なるエリアが示されるエリア情報と、当該エリア情報を送信すべきタイミングとを関連づけた識別情報と、（２）当該エリア情報とが含まれる第１の組合せを生成する生成部と、生成部において生成した第１の組合せを送信する送信部と、送信した第１の組み合わせを記憶する記憶部を備える。表示部は、記憶部に記憶された第１の組み合わせにおける識別情報を選択肢に追加表示し、生成部は、第１の組合せにおける識別情報に関連づけられたタイミング以降のタイミングにおいて、選択された識別情報と、データとが含まれる第２の組合せを生成し、送信部は、生成部において生成した第２の組合せを送信する。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、過去に所定のエリアに存在した端末装置に対して選択的にデータを送信できる。
【図面の簡単な説明】
【０００９】
【図１】本発明の実施例１に係る通信システムの構成を示す図である。
【図２】図１の通信システムにおいて形成されるエリアを示す図である。
【図３】図２のエリアに含まれる端末装置の時間変化を示す図である。
【図４】図１の指令局の構成を示す図である。
【図５】図４の表示部に表示される送信制御画面を示す図である。
【図６】図４の記憶部に記憶されるテーブルのデータ構造を示す図である。
【図７】図７（ａ）−（ｃ）は、図４の送信部から送信される信号のフォーマットを示す図である。
【図８】図４の表示部に表示される別の送信制御画面を示す図である。
【図９】図４の表示部に表示されるさらに別の送信制御画面を示す図である。
【図１０】図１の端末装置の構成を示す図である。
【図１１】図４の送信装置による送信手順を示すフローチャートである。
【図１２】図１０の受信装置による受信手順を示すフローチャートである。
【図１３】図１３（ａ）−（ｂ）は、本発明の実施例２に係る送信部から送信される信号のフォーマットを示す図である。
【発明を実施するための形態】
【００１０】
（実施例１）
本発明を具体的に説明する前に、まず概要を述べる。本発明の実施例１は、指令局が基地局装置を介して複数の端末装置にデータを送信する通信システムに関する。本実施例において、通信システムは業務用無線であるとし、データは音声情報であるとする。ここでは、指令局において、音声情報を送信すべきエリアが指定され、ＰＴＴ（Ｐｕｓｈ  Ｔｏ  Ｔａｌｋ）が実行される。指令局から送信された音声情報は、基地局装置を介して、指定されたエリアに位置する１つ以上の端末装置に受信される。
【００１１】
このような状況において、所定のエリアに位置する１つ以上の端末装置に音声情報を送信した後、当該１つ以上の端末装置に音声情報を再び送信したい場合がある。しかしながら、最初に音声情報を送信したタイミングと、次に音声情報を送信すべきタイミングとが離れるほど、所定のエリアに位置していた端末装置が、当該所定のエリアから出て行ってしまう可能性が高くなる。そのため、過去に所定のエリアに位置した端末装置を対象にして音声情報を送信することは困難である。これに対応するために、本実施例に係る通信システムは、次の処理を実行する。
【００１２】
指令局は、音声情報を送信する場合、音声情報の受信対象なるエリアが示されるエリア情報と、送信するタイミングに関連づけた識別情報（以下、「ＩＤ」という場合もある）を生成する。指令局は、基地局装置を介して、エリア情報、音声情報、識別情報が含まれる第１の組合せを送信する。端末装置は、現在の位置を測位する。また、端末装置は、第１の組合せを受信した場合、エリア情報によって示されるエリア内に位置するかを判定する。エリア内に位置する場合、端末装置は、第１の組合せに含まれた音声情報を再生して音声を出力するとともに、識別情報を保持する。
【００１３】
このような処理が実行されて所定の期間が経過した後、既に送信したエリア情報によって示されるエリア内に位置した端末装置に音声情報を送信する場合、指令局は、既に送信した識別情報、音声情報が含まれる第２の組合せを送信する。端末装置は、第２の組合せを受信した場合、第２の組合せに含まれる識別情報と、保持している識別情報とを比較する。両者が一致する場合、端末装置は、第２の組合せに含まれた音声情報を再生して音声を出力する。
【００１４】
図１は、本発明の実施例１に係る通信システム１００の構成を示す。通信システム１００は、指令局１０、ネットワーク１２、基地局装置１４、端末装置１６を含む。通信システム１００に含まれる基地局装置１４、端末装置１６の数は「１」に限定されないが、ここでは説明を明瞭にするために、基地局装置１４、端末装置１６はそれぞれ「１」つだけ示される。
【００１５】
指令局１０は、ユーザインターフェイスとなるコンソールを介して、音声情報を送信すべきエリアに関する指示をオペレータから受けつける。また、指令局１０は、ＰＴＴボタンが押し下げられながら、コンソールに接続されたマイクロフォンを介してオペレータからの音声を受けつけると、音声から音声情報を生成する。指令局１０は、ネットワーク１２を介して音声情報を基地局装置１４に送信し、基地局装置１４は、音声情報を送信する。基地局装置１４と端末装置１６は業務用無線に対応し、当該送信はブロードキャスト送信に相当する。
【００１６】
端末装置１６は、指令局１０において指示されたエリアに位置する場合、受信した音声情報を再生して音声を出力する。なお、指示したエリアに現在位置する端末装置１６に音声情報を受信させるか、指示したエリアに過去に位置した端末装置１６に音声情報を受信させるかによって、エリアの指示が異なる。このようなエリアの指示については後述する。なお、端末装置１６が指令局１０に音声情報を送信することも可能であるが、ここではこのような場合の説明を省略する。
【００１７】
図２は、通信システム１００における基地局装置１４から端末装置１６への通信が可能である通信可能範囲２０４と、指令局１０において指示するエリアを示す。ここでは、一例として通信可能範囲２０４の中で、第１エリア２００、第２エリア２０２の２つのエリアが指示される場合を想定する。図２のように、各エリアが円形状である場合、各エリアの範囲を示すエリア情報は、エリアの中心位置の緯度・経度、エリアの半径によって構成される。なお、エリアは円形状に限定されないが、ここでは説明を明瞭にするためにエリアが円形状であるとする。
【００１８】
図３は、エリアに含まれる端末装置１６の時間変化を示す。ここでは、一例として、「１０：００」、「１１：００」、「１２：００」という３つの時刻における第１エリア２００、第２エリア２０２を示す。以下の説明において、「１０：００」、「１１：００」、「１２：００」は、「第１タイミング」、「第２タイミング」、「第３タイミング」と呼ばれる場合もある。また、第１エリア２００、第２エリア２０２は図２と同様に示される。さらに、図３では、第１端末装置１６ａ、第２端末装置１６ｂ、第３端末装置１６ｃが示される。
【００１９】
第１タイミングである「１０：００」において、第１端末装置１６ａ、第２端末装置１６ｂが第１エリア２００内に位置し、第３端末装置１６ｃが第２エリア２０２内に位置する。また、第１タイミング以降の第２タイミングである「１１：００」において、第１端末装置１６ａ、第３端末装置１６ｃが第１エリア２００内に位置し、第２端末装置１６ｂが第２エリア２０２内に位置する。つまり、第２端末装置１６ｂが第１エリア２００から第２エリア２０２に移動し、第３端末装置１６ｃが第２エリア２０２から第１エリア２００に移動している。さらに、第２タイミング以降の第３タイミングである「１２：００」において、第１端末装置１６ａ、第３端末装置１６ｃが第１エリア２００内に位置し、第２端末装置１６ｂが第２エリア２０２内に位置する。
【００２０】
本実施例では、第１タイミングにおいて第１エリア２００に位置していた第１端末装置１６ａ、第２端末装置１６ｂに音声情報を送信した後、第３タイミングにおいても、第１端末装置１６ａ、第２端末装置１６ｂに音声情報を送信することを目的とする。図示のごとく、第３タイミングにおいて第１端末装置１６ａは第１エリア２００に位置するが、第２端末装置１６ｂは第２エリア２０２に位置する。
【００２１】
図４は、指令局１０の構成を示す。指令局１０は、送信装置２０を含む。送信装置２０は、マイクロフォン３０、操作部３２、表示部３４、生成部３６、記憶部３８、送信部４０を含む。なお、指令局１０は、送信装置２０以外の機能、例えば受信機能を含んでもよいが、ここでは説明を省略する。
【００２２】
操作部３２は、指令局１０を使用するオペレータからの指示を受けつける入力インターフェイスである。操作部３２は、キーボード、マウス、タッチパネル等によって構成される。表示部３４は、オペレータに指示の入力を促すための画面を表示するモニタである。生成部３６は、操作部３２、表示部３４に接続され、表示部３４に表示すべき画面を生成するとともに、操作部３２において受けつけた指示を取得する。ここでは、表示部３４に表示される画面を示しながら、操作部３２、表示部３４において受けつけるオペレータからの指示を説明する。
【００２３】
図３の第１タイミングである「１０：００」において表示される画面が図５に示される。図５は、表示部３４に表示される送信制御画面を示す。第１タイミングでは、図３の第１エリア２００内に位置する端末装置１６において音声情報が受信されることを想定する。オペレータは、操作部３２を使用しながら、受信対象エリアとして「第１エリア」を選択する。生成部３６は、「第１エリア」選択の指示を操作部３２から取得する。なお、「エリア指定（以前）」には以前指定したエリアが示されるが、ここでは、以前の送信がないので「（ＮＯＮＥ）」と表示され、選択肢が表示されない。また、オペレータは、操作部３２を使用しながら、「ＰＴＴ」ボタンを選択して、図４のマイクロフォン３０に音声を入力する。マイクロフォン３０は、音声を電気信号に変更してから、電気信号（以下、「音声情報」という）を生成部３６に出力する。
【００２４】
生成部３６は、「エリア指定（以前）」の選択肢が選択されていないので、音声情報の受信対象となる第１エリア２００が示されるエリア情報を生成する。また、生成部３６は、第１エリア２００が示されるエリア情報と、当該エリア情報を送信すべき第１タイミング「１０：００」とを関連づけた識別情報、例えば、ＩＤ「１」を生成する。さらに、生成部３６は、エリア情報、識別情報、音声情報が含まれる第１の組合せを生成する。図４に戻る。生成部３６は、第１の組合せを送信部４０に出力するとともに、第１の組合せの内容を記憶部３８に記憶する。
【００２５】
記憶部３８は、生成部３６からの指示に応じて第１の組合せの内容を記憶する。図６は、記憶部３８に記憶されるテーブルのデータ構造を示す。第１タイミングである「１０：００」において、メッセージ番号「１」の行に含まれる情報が記憶される。ここで、エリア情報と、識別情報であるＩＤは、制御情報と総称される。図４に戻る。
【００２６】
送信部４０は、生成部３６から第１の組合せを受けつける。送信部４０は、図示しないネットワーク１２を経由して基地局装置１４に第１の組合せを送信する。図７（ａ）−（ｃ）は、送信部４０から送信される信号のフォーマットを示す。図７（ａ）は、第１の組合せのフォーマットを示す。ここでは、「エリア情報」、「識別情報」、「音声情報」が含まれる。図７（ｂ）−（ｃ）については後述し、図４に戻る。第１の組合せは、基地局装置１４からブロードキャスト送信され、端末装置１６に受信される。
【００２７】
これに続いて、図３の第２タイミングである「１１：００」において表示される画面が図８に示される。図８は、表示部３４に表示される別の送信制御画面を示す。第２タイミングでは、図３の第２エリア２０２内に位置する端末装置１６において音声情報が受信されることを想定する。オペレータは、操作部３２を使用しながら、受信対象エリアとして「第２エリア」を選択する。生成部３６は、「第２エリア」選択の指示を操作部３２から取得する。なお、「エリア指定（以前）」には、第１タイミングでの送信に応じて、「第１エリア（１０：００）」という選択肢が表示される。ここで、「エリア指定（以前）」の表示は、記憶部３８に記憶されたテーブルにもとづいてなされる。また、オペレータは、操作部３２を使用しながら、「ＰＴＴ」ボタンを選択して、図４のマイクロフォン３０に音声を入力する。マイクロフォン３０は、音声情報を生成部３６に出力する。
【００２８】
生成部３６は、「エリア指定（以前）」の選択肢が選択されていないので、音声情報の受信対象となる第２エリア２０２が示されるエリア情報を生成する。また、生成部３６は、第２エリア２０２が示されるエリア情報と、当該エリア情報を送信すべき第２タイミング「１１：００」とを関連づけた識別情報、例えば、ＩＤ「２」を生成する。さらに、生成部３６は、エリア情報、識別情報、音声情報が含まれる第１の組合せを生成する。図４に戻る。生成部３６は、第１の組合せを送信部４０に出力するとともに、第１の組合せの内容を記憶部３８に記憶する。
【００２９】
記憶部３８は、生成部３６からの指示に応じて第１の組合せの内容を記憶する。図６では、第２タイミングである「１１：００」において、メッセージ番号「２」の行に含まれる情報が記憶される。送信部４０は、生成部３６から第１の組合せを受けつける。送信部４０は、図示しないネットワーク１２を経由して基地局装置１４に第１の組合せを送信する。ここでも、図７（ａ）に示されたフォーマットが使用される。
【００３０】
さらに、これらに続いて、図３の第３タイミングである「１２：００」において表示される画面が図９に示される。図９は、表示部３４に表示されるさらに別の送信制御画面を示す。第３タイミングでは、図３の「１０：００」における第１エリア２００内に位置する端末装置１６において音声情報が受信されることを想定する。つまり、第３タイミングでの第１エリア２００、第２エリア２０２は受信対象とされていない。オペレータは、操作部３２を使用しながら、受信対象エリアとして「第１エリア（１０：００）」を選択する。なお、「エリア指定（以前）」には、第２タイミングでの送信に応じて、「第２エリア（１１：００）」という選択肢が追加表示される。ここでも、「エリア指定（以前）」の表示は、記憶部３８に記憶されたテーブルにもとづいてなされる。また、オペレータは、操作部３２を使用しながら、「ＰＴＴ」ボタンを選択して、図４のマイクロフォン３０に音声を入力する。マイクロフォン３０は、音声情報を生成部３６に出力する。
【００３１】
生成部３６は、「エリア指定（以前）」の選択肢が選択されているので、エリア情報を生成しない。その代わりに、生成部３６は、記憶部３８に記憶されたテーブルから、第１タイミングでの第１の組合せにおける識別情報であるＩＤ「１」を取得する。また、生成部３６は、識別情報、音声情報が含まれ、かつエリア情報が含まれない第２の組合せを生成する。図４に戻る。生成部３６は、第２の組合せを送信部４０に出力するとともに、第２の組合せの内容を記憶部３８に記憶する。
【００３２】
送信部４０は、生成部３６から第２の組合せを受けつける。送信部４０は、図示しないネットワーク１２を経由して基地局装置１４に第２の組合せを送信する。第２の組合せのフォーマットは、図７（ｂ）に示される。ここでは、「識別情報」、「音声情報」が含まれる。基地局装置１４は、第１の組合せと同様に、第２の組合せをブロードキャスト送信する。
【００３３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３４】
図１０は、端末装置１６の構成を示す。端末装置１６は、受信装置５０を含む。受信装置５０は、受信部６０、測位部６２、保持部６４、処理部６６、スピーカ６８を含む。また、受信部６０は、第１受信部７０、第２受信部７２を含む。なお、端末装置１６は、受信装置５０以外の機能、例えば送信機能を含んでもよいが、ここでは説明を省略する。
【００３５】
受信部６０は、業務用無線に対応しており、基地局装置１４を介して指令局１０からの信号を受信する。信号は、前述の第１の組合せ、あるいは第２の組合せである。受信部６０において受信した信号にエリア情報が含まれる場合、第１受信部７０は第１の組合せを取得する。前述のごとく、第１の組合せには、エリア情報、識別情報、音声情報が含まれる。第１受信部７０は、第１の組合せを保持部６４、処理部６６に出力する。
【００３６】
測位部６２は、ＧＰＳ（Ｇｌｏｂａｌ  Ｐｏｓｉｔｉｏｎｉｎｇ  Ｓｙｓｔｅｍ）衛星からの信号を受信することによって、端末装置１６の位置を測位する。位置の測位には公知の技術が使用されればよいので、ここでは説明を省略するが、位置は、緯度・経度によって示される。測位部６２は、周期的に位置を測位する。測位部６２は、測位した位置を位置情報として保持部６４に順次出力する。
【００３７】
保持部６４は、測位部６２から位置情報を受けつけるとともに、第１受信部７０から第１の組合せを受けつける。保持部６４は、第１の組合せにおけるエリア情報によって示されるエリア内に位置情報が含まれる場合、第１の組合せにおける識別情報を保持するとともに、エリア内に位置することを処理部６６に通知する。一方、保持部６４は、第１の組合せにおけるエリア情報によって示されるエリア内に位置情報が含まれない場合、第１の組合せを破棄する。
【００３８】
図３の第１タイミングである「１０：００」の場合、前述のごとく、第１の組合せにおけるエリア情報は第１エリア２００を示す。また、第１端末装置１６ａ、第２端末装置１６ｂは第１エリア２００内に位置し、第３端末装置１６ｃは第２エリア２０２内に位置する。そのため、第１端末装置１６ａ、第２端末装置１６ｂの保持部６４は、識別情報であるＩＤ「１」を保持する。一方、第３端末装置１６ｃの保持部６４は、識別情報であるＩＤ「１」を保持しない。
【００３９】
処理部６６は、第１受信部７０から第１の組合せを受けつける。処理部６６は、保持部６４から通知を受けつけた場合、第１の組合せにおける音声情報を処理、つまり再生する。処理部６６は、再生した音声情報を音声としてスピーカ６８から出力させる。一方、処理部６６は、保持部６４から通知を受けつけない場合、音声情報を破棄する。図３の第１タイミングである「１０：００」の場合、第１端末装置１６ａ、第２端末装置１６ｂのスピーカ６８は音声を出力するが、第３端末装置１６ｃのスピーカ６８は音声を出力しない。
【００４０】
図３の第２タイミングである「１１：００」の場合、前述のごとく、第１の組合せにおけるエリア情報は第２エリア２０２を示す。また、第１端末装置１６ａ、第３端末装置１６ｃは第１エリア２００内に位置し、第２端末装置１６ｂは第２エリア２０２内に位置する。そのため、第１端末装置１６ａ、第３端末装置１６ｃの保持部６４は、識別情報であるＩＤ「２」を保持しない。一方、第２端末装置１６ｂの保持部６４は、識別情報であるＩＤ「２」を保持する。ここで、第２端末装置１６ｂの保持部６４は、ＩＤ「１」およびＩＤ「２」を保持する。さらに、第１端末装置１６ａ、第３端末装置１６ｃのスピーカ６８は音声を出力しないが、第２端末装置１６ｂのスピーカ６８は音声を出力する。
【００４１】
第１の組合せにおける識別情報に関連づけられたタイミング以降のタイミングにおいて、受信部６０において受信した信号にエリア情報が含まれない場合、第２受信部７２は第２の組合せを取得する。前述のごとく、第２の組合せには、識別情報、音声情報が含まれるが、エリア情報が含まれない。第２受信部７２は、第２の組合せを処理部６６に出力する。
【００４２】
処理部６６は、第２受信部７２から第２の組合せを受けつける。処理部６６は、第２の組合せにおける識別情報と、保持部６４に保持した識別情報のいずれかとが一致する場合、第２の組合せにおける音声情報を再生する。処理部６６は、再生した音声情報を音声としてスピーカ６８から出力させる。一方、処理部６６は、一致しない場合、音声情報を破棄する。
【００４３】
図３の第３タイミングである「１２：００」の場合、前述のごとく、第２の組合せにおける識別情報はＩＤ「１」である。また、第１端末装置１６ａの保持部６４はＩＤ「１」を保持し、第２端末装置１６ｂの保持部６４はＩＤ「１」およびＩＤ「２」を保持し、第３端末装置１６ｃの保持部６４は識別情報を保持しない。そのため、第１端末装置１６ａ、第２端末装置１６ｂのスピーカ６８は音声を出力するが、第３端末装置１６ｃのスピーカ６８は音声を出力しない。なお、図３では、第１端末装置１６ａから第３端末装置１６ｃは、第１エリア２００内または第２エリア２０２に位置するが、第１エリア２００内または第２エリア２０２に位置しなくとも、通信可能範囲２０４内に位置すれば、上記と同じ動作を行う。
【００４４】
なお、第２の組合せは、複数の識別情報を含んでもよい。この場合の第２の組合せのフォーマットは、図７（ｃ）に示される。ここでは、「識別情報１」、「識別情報２」、「音声情報」が含まれる。「識別情報１」、「識別情報２」は、互いに異なったＩＤを示す。端末装置１６の処理部６６は、第２の組合せにおける識別情報のいずれかと、保持部６４に保持した識別情報のいずれかとが一致する場合、第２の組合せにおける音声情報を再生する。
【００４５】
以上の構成による通信システム１００の動作を説明する。図１１は、送信装置２０による送信手順を示すフローチャートである。操作部３２を介して、ユーザによる送信制御操作がなされる（Ｓ１０）。「エリア指定（現在）」の選択肢が選択されていれば（Ｓ１２のＹ）、生成部３６は、対象エリアと時刻に関連づけたＩＤを発行して記憶部３８に保存する（Ｓ１４）。送信部４０は、エリア情報とＩＤと音声情報を送信する（Ｓ１６）。「エリア指定（現在）」の選択肢が選択されていなければ（Ｓ１２のＮ）、生成部３６は、選択肢と対応したＩＤを抽出する（Ｓ１８）。送信部４０は、ＩＤと音声情報を送信する（Ｓ２０）。
【００４６】
図１２は、受信装置５０による受信手順を示すフローチャートである。受信した信号が第１の組合せである場合（Ｓ５０のＹ）、現在位置がエリアの内部であれば（Ｓ５２のＹ）、処理部６６は音声を出力し（Ｓ５４）、保持部６４はＩＤを保存する（Ｓ５６）。現在位置がエリアの内部でなければ（Ｓ５２のＮ）、ステップ５４、ステップ５６はスキップされる。受信した信号が第１の組合せでない場合（Ｓ５０のＮ）、ＩＤが一致すれば（Ｓ５８のＹ）、処理部６６は音声を出力する（Ｓ６０）。ＩＤが一致しなければ（Ｓ５８のＮ）、ステップ６０はスキップされる。
【００４７】
本実施例によれば、エリア情報と識別情報とを第１の組合せに含めるので、エリア情報に対応した識別情報を知らせることができる。また、第１の組合せを送信した後に、識別情報と音声情報とが含まれた第２の組合せを送信するので、第１の組合せを送信したタイミングにおいて識別情報を通知した端末装置に対して音声情報を送信できる。これにより、過去に所定のエリアに存在した端末装置に対して音声情報を送信できる。また、第１の組合せに音声情報を含めるので、第１の組合せを送信するタイミングにおいて、音声情報も送信できる。また、指令局から対象エリアの端末装置へ情報を送信してから時間が経過したタイミングにおいて、情報を送信したタイミングで受信対象となっていた端末装置を対象にして、情報を再び送信できる。
【００４８】
第１の組合せを受信した場合、第１の組合せにおけるエリア情報によって示されるエリア内に位置する場合、第１の組合せにおける識別情報を保持するので、識別情報を取得できる。また、第２の組合せを受信した場合、第２の組合せにおける識別情報と、保持した識別情報とが一致する場合、第２の組合せにおける音声情報を処理するので、識別情報を保持した端末装置だけ音声を出力できる。また、第１の組合せにも音声情報が含まれるので、第１の組合せを受信した場合にも音声情報を処理できる。
（実施例２）
次に、実施例２を説明する。実施例２は、実施例１と同様に、エリアを指定して音声情報を送信する通信システムに関する。また、実施例２でも、過去に所定のエリアに位置した端末装置を対象にして音声情報を送信することに関する。実施例１においては、エリア情報、識別情報、音声情報が含まれる第１の組合せが送信された後に、識別情報、音声情報が含まれる第２の組合せが送信される。つまり、音声情報が発生したタイミングで第１の組合せが送信されることによって、識別情報が端末装置に通知される。一方、実施例２では、音声情報が発生しない場合であっても、識別情報を端末装置に通知することも目的とする。実施例２における指令局は、第１の組合せに音声情報を含めない。そのため、指令局は、例えば、第１の組合せを周期的に送信する。実施例２に係る通信システム１００、指令局１０、端末装置１６は、図１、図４、図１０と同様のタイプである。ここでは、これまでとの差異を中心に説明する。
【００４９】
図４の生成部３６は、これまでのように、オペレータの操作によって操作部３２からエリア選択の指示を受けつける。生成部３６は、受けつけたエリアが示されるエリア情報を生成する。また、生成部３６は、当該エリアが示されるエリア情報と、当該エリア情報を送信すべき第１タイミングとを関連づけた識別情報を生成する。さらに、生成部３６は、エリア情報、識別情報が含まれる第１の組合せを生成する。前述のごとく、第１の組合せには音声情報が含まれていない。生成部３６は、第１の組合せを送信部４０に出力するとともに、第１の組合せの内容を記憶部３８に記憶する。なお、生成部３６は、オペレータの操作によって操作部３２からエリア選択の指示を受けつけなくてもよく、エリア選択の指示を周期的かつ自動的に生成してもよい。これに続く処理はこれまでと同様であるので省略される。
【００５０】
図１３（ａ）−（ｂ）は、本発明の実施例２に係る送信部４０から送信される信号のフォーマットを示す。図１３（ａ）は、第１の組合せのフォーマットを示す。図示のごとく、「エリア情報」、「識別情報」が含まれるが、音声情報が含まれない。図１３（ｂ）は、第２の組合せのフォーマットを示す。これは、図７（ｂ）と同様である。
【００５１】
一方、図１０の処理部６６は、第１の組合せを受けつけても、当該第１の組合せに音声情報が含まれていないので、音声情報を再生しない。これ以外の処理は、これまでと同様であるので、説明を省略する。
【００５２】
本実施例によれば、第１の組合せに音声情報を含めないので、音声情報が発生していない場合であっても、エリア情報と識別情報との対応関係を通知できる。また、音声情報が発生していない場合であっても、エリア情報と識別情報との対応関係が通知されるので、通知頻度を増加できる。
【００５３】
以上、本発明を、実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５４】
実施例１、２において、通信システム１００に、業務用無線を使用している。しかしながらこれに限らず例えば、業務用無線以外の無線通信システム、例えば移動通信システムが使用されてもよい。この場合、移動通信システムにおいてＰＴＴが実行されてもよい。本変形例によれば、構成の自由度を向上できる。
【００５５】
実施例１において、第１の組合せおよび第２の組合せに音声情報が含まれ、実施例２において、第２の組合せに音声情報が含まれている。しかしながらこれに限らず例えば、音声情報の代わりに、文字情報、画像情報等が含まれてもよい。ここで、音声情報、文字情報、画像情報は、データと総称される。本変形例によれば、構成の自由度を向上できる。
【００５６】
実施例１において、第１の組合せのフォーマットと第２の組合せのフォーマットは異なっており、両者はエリア情報の有無によって区別可能である。しかしながらこれに限らず例えば、第１の組合せのフォーマットと第２の組合せのフォーマットとが共通であってもよい。この場合、第１の組合せのフォーマットと第２の組合せのフォーマットとには、第１の組合せであるか、あるいは第２の組合せであるかを識別するための識別子が含まれてもよい。本変形例によれば、第１の組合せのフォーマットと第２の組合せのフォーマットの構成の自由度を向上できる。
【００５７】
実施例１、２において、生成部３６は、第１の組合せを生成する際に、新規のＩＤを発行している。しかしながらこれに限らず例えば、生成部３６は、以前の送信からある程度の時間が経過している場合に新規のＩＤを発行し、それ以外の場合に直前のＩＤを使用してもよい。あるいは、端末装置１６はエリア情報を指令局１０に定期的に送信しており、端末装置１６がエリアを跨ぐと指令局１０が判断する場合、指令局１０は、新規のＩＤを発行し、それ以外の場合に直前のＩＤを使用してもよい。本変形例によれば、ＩＤを有効に使用できる。
【符号の説明】
【００５８】
１０  指令局、  １２  ネットワーク、  １４  基地局装置、  １６  端末装置、  ２０  送信装置、  ３０  マイクロフォン、  ３２  操作部、  ３４  表示部、  ３６  生成部、  ３８  記憶部、  ４０  送信部、  ５０  受信装置、  ６０  受信部、  ６２  測位部、  ６４  保持部、  ６６  処理部、  ６８  スピーカ、  ７０  第１受信部、  ７２  第２受信部、  １００  通信システム。
【図１】
2020039161.tif 000003
【図２】
2020039161.tif 000004
【図３】
2020039161.tif 000005
【図４】
2020039161.tif 000006
【図５】
2020039161.tif 000007
【図６】
2020039161.tif 000008
【図７】
2020039161.tif 000009
【図８】
2020039161.tif 000010
【図９】
2020039161.tif 000011
【図１０】
2020039161.tif 000012
【図１１】
2020039161.tif 000013
【図１２】
2020039161.tif 000014
【図１３】
2020039161.tif 000015